(57)【要約】      （修正有）【課題】冷やされた状態で供された飲料を、テーブルに供された後も、保冷可能な卓上保冷器を提供する。【解決手段】上面が開口した中空箱形状の外側容器１３と、外側容器１３の内側に設けられ飲料容器を収納可能な内側容器１４と、内側容器１４の内側に設けられ飲料容器を所定位置に保持する飲料支持部からなる飲料容器収納部１と、飲料容器収納部１に冷気を循環させる冷却装置を内蔵した冷却部２と、を有する。【選択図】図６
2016148501.tif 000002
【特許請求の範囲】
【請求項１】
上面が開口した中空箱形状の外側容器と、前記外側容器の内側に設けられ飲料容器を収納可能な内側容器と、前記内側容器の内側に設けられ飲料容器を所定位置に保持する飲料支持部からなる飲料容器収納部と、
前記飲料容器収納部に冷気を循環させる冷却装置を内蔵した冷却部と、を有することを特徴とする卓上保冷器。
【請求項２】
前記飲料支持部は、飲料容器を載置できる凹部または底面を有する飲料容器保持具と、前記飲料容器保持具を所定位置に固定可能な飲料容器保持具固定板からなることを特徴とする請求項１に記載の卓上保冷器。
【請求項３】
前記飲料容器収納部の上面に、飲料容器を挿入可能な開口部を複数備えた開閉または着脱可能な開閉蓋部を設けたことを特徴とする請求項１または請求項２に記載の卓上保冷器。
【請求項４】
前記開閉蓋部は前記外側容器と前記内側容器との間隙に収納可能であることを特徴とする請求項１から請求項３いずれか１つに記載の卓上保冷器。
【発明の詳細な説明】
【技術分野】
【０００１】
本発明は、冷やされた状態で供された飲料を、テーブルに供された後も、保冷可能な卓上保冷器に関する。
【背景技術】
【０００２】
従来、一般的なレストラン・バー・居酒屋・ビヤガーデン・カラオケ・パーティ会場等の飲食を提供する場において、好みの飲料を注文すると、飲料は、美味しく飲める温度、すなわち、ほどよく冷やされた状態で、器やグラス、ボトル、瓶に入れられて運ばれてくる。運ばれてきた飲料の入った器やグラスその他は、テーブルの上に置かれ、室温にさらされることが一般的である。
【０００３】
そのため、飲料は、供された直後は良く冷えた状態であって美味しく飲むことができるが、時間が経過するにつれ常温に近くなり、飲料の持つ美味しさが損なわれる。さらに、飲料中に氷が入っていた場合は、その氷が時間経過とともに溶けてしまい、飲料が水っぽくなってしまう。それら問題を解決するため、テーブル天板の下に、引き出しを設け、冷蔵装置つきの保冷庫を備えて、食事中も飲料を保冷できるものが考案されている（特許文献１）。
【先行技術文献】
【特許文献】
【０００４】
【特許文献１】特開２０１１−３６５７９号公報
【発明の概要】
【発明が解決しようとする課題】
【０００５】
しかし、特許文献１の保冷庫つきテーブルは、テーブルの下に設けられた引き出しに飲料を収納する構造であり、飲料を取り出す際に、引き出しを手前に引き出す必要がある。引き出す際のスペースが十分でない場合、これは大変使いづらい。また、大きなボトルほど、引き出す際に、多くのスペースを必要とするため、テーブル間のスペースが少ない場所では取り出しに難儀する。
【０００６】
さらに、出し入れする際に、椅子を後ろに移動させ、自身の身を後ろに移動させてから引き出しを引き出すスペースを確保する必要があるので、何度も出し入れするたび、体と椅子を移動させなければならず、手間がかかり、歓談の邪魔にもなる。さらに、テーブルと保冷装置つき引き出しは一体となっているので、機器の導入に、大変なコストがかかる。
【０００７】
そこで、この発明の目的は、テーブルに運ばれてきた飲料を手軽に保冷でき、スペースをそれほど必要とせず、現在あるテーブルをそのまま使えて導入の際の初期費用を抑えることができる卓上保冷器を提供する。
【課題を解決するための手段】
【０００８】
この発明にかかる卓上保冷器は、上面が開口した中空箱形状の外側容器と、前記外側容器の内側に設けられ飲料容器を収納可能な内側容器と、前記内側容器の内側に設けられ飲料容器を所定位置に保持する飲料支持部からなる飲料容器収納部と、前記飲料容器収納部に冷気を循環させる冷却装置を内蔵した冷却部と、を有することを特徴とする。
【０００９】
この発明によれば、テーブルの上または横に載置された卓上保冷器の飲料支持部に飲料の入った容器を載せておくだけで、手軽に、飲料を保冷することができる。飲料を保冷するために冷蔵庫まで運ぶ必要もなく、食事中、歓談を遮ることなく、手間なく、飲料の保冷ができる。飲料容器保持部は、飲料容器を所定の高さ、所定の位置に飲料容器を固定して保持することができるので、様々な大きさの飲料容器を、卓上保冷器内の取り出しやすい位置に保持することができる。
【００１０】
また、この発明にかかる卓上保冷器は、前記飲料支持部は、飲料容器を載置できる凹部または底面を有する飲料容器保持具と、前記飲料容器保持具を所定位置に固定可能な飲料容器保持具固定板からなることを特徴とする。
【００１１】
この発明によれば、飲料の入った容器を開口部に挿入して固定しておくことができるので、飲料の入った容器を過って倒してしまうことがない。また、いつも同じ開口を使用するようにすれば、同じテーブルに座っている別の人の飲料容器と取り違えることも予防できる。
【００１２】
また、この発明にかかる卓上保冷器は、前記飲料容器収納部の上面に、飲料容器を挿入可能な開口部を複数備えた開閉または着脱可能な開閉蓋部を設けたことを特徴とする。
【００１３】
この発明によれば、飲料の入った容器を飲料容器保持具によって飲料容器保持具固定板に固定できるので、飲料の入った容器が、飲料容器収納部内で倒れて中身が流出することがない。また、飲料容器を飲料容器収納部内の所定の高さに固定できるので、飲料容器の出し入れが容易に行うことができる。
【００１４】
また、この発明にかかる卓上保冷器は、前記開閉蓋部は前記外側容器と内側容器との間隙に収納可能であることを特徴とする。
【００１５】
この発明によれば、開閉蓋部を外側容器内に収納できるので、卓上保冷器の上面を全面開放して使用することができ、大きなサイズの飲料容器を保冷する場合に適している。また、開閉蓋部を使用しない場合に卓上保冷器内で開閉蓋部を収納できるので、開閉蓋部を紛失するおそれがない。
【図面の簡単な説明】
【００１６】
【図１】この発明の実施の形態１にかかる卓上保冷器１００の飲料容器収納部１と冷却部２を示す斜視図である。
【図２】図１に示した卓上保冷器１００の飲料容器収納部１と冷却部２の正面図である。
【図３】図１に示した卓上保冷器１００の飲料容器収納部１と冷却部２の右側面図である。
【図４】図１に示した卓上保冷器１００の飲料容器収納部１と冷却部２の平面図である。
【図５】図１に示した卓上保冷器１００の飲料容器収納部１と冷却部２の開閉蓋部１１を外した状態の平面図である。
【図６】図４に示した卓上保冷器１００の飲料容器収納部１と冷却部２のＡ−Ａ断面図である。
【図７】図１に示した卓上保冷器１００の開閉蓋部１１を外側容器１３の内側に収納する手順を示す説明図である。
【図８】図１に示した卓上保冷器１００の開閉蓋部１１を外側容器１３の内側に収納する手順を示す説明図である。
【図９】図１に示した卓上保冷器１００の開閉蓋部１１を外側容器１３の内側に収納する手順を示す説明図である。
【図１０】図１に示した卓上保冷器１００において、飲料容器保持具固定板１５を装着する手順を示す説明図である。
【図１１】図１に示した卓上保冷器１００において、飲料容器保持具固定板１５を装着する手順を示す説明図である。
【図１２】図１に示した卓上保冷器１００において、飲料容器保持具固定板１５を装着する手順を示す説明図である。
【図１３】図１に示した卓上保冷器１００において、飲料容器保持具固定板１５に飲料容器保持具１６を装着する手順を示す説明図である。
【図１４】（ａ）は、図１に示した卓上保冷器１００の飲料保持部の斜視図であって、（ｂ）は、飲料保持部に飲料容器を挿入した状態を示す斜視図である。
【図１５】図１５は、図１に示した卓上保冷器１００の飲料容器保持具固定板１５に飲料容器保持具１６を取り付けた状態を示す斜視図である。
【図１６】図１に示した卓上保冷器１００の使用方法を説明する説明図である。
【図１７】図１に示した卓上保冷器１００の使用方法を説明する説明図である。
【図１８】図１に示した卓上保冷器１００の使用方法を説明する説明図である。
【図１９】図１に示した卓上保冷器１００の使用方法を説明する説明図である。
【図２０】図１に示した卓上保冷器１００をテーブル横に載置して使用する状態を示す斜視図である。
【図２１】この発明の実施の形態２であるテーブルＴの中央に作りつけられた卓上保冷器２００を示す参考斜視図である。
【図２２】図２１にかかるテーブルＴの中央に造りつけられた卓上保冷器２００の断面図である。
【発明を実施するための形態】
【００１７】
（実施の形態１）
図１は、この発明の実施の形態１にかかる卓上保冷器１００の飲料容器収納部１と冷却部２を示す斜視図であって、図２は、図１に示した卓上保冷器１００の飲料容器収納部１と冷却部２の正面図である。図３は、図１に示した卓上保冷器１００の飲料容器収納部１と冷却部２の右側面図である。
【００１８】
図１に示すように、本発明の卓上保冷器１００は、上面に開閉蓋部１１を有する中空箱形状の飲料容器収納部１と、冷媒を圧縮するコンプレッサー２４や冷媒を循環させる配管２６、吸熱を行う冷却器２５等、冷却に必要な装置を内蔵した冷却部２を主に有する。飲料容器収納部１の上面に設けられた開閉蓋部１１には、飲料缶やボトルを挿通可能な大きさの開口である差込口１２が設けられている。
【００１９】
図２に示すように、飲料容器収納部１の底面と冷却部２の上面は、略同じ大きさとなっており、飲料容器収納部１は、冷却部２の上にぴったり重ねて設置されている。本実施の形態では飲料容器収納部１及び冷却部２は、長方体形状であるが、飲料容器収納部１及び冷却部２の形状は、長方体形状に限定されることはなく、飲料容器収納部１の底面と冷却部２の上面が、ぴったりあわさる形状であれば良く、直方体形状、多角柱形状や円柱形状でも良い。
【００２０】
図３に示すように、冷却部２の右側面には、コントロールボタン２１スイッチボタン２２が設けられており、冷却部２の温度調節や電源のオンオフが行えるようになっている。電気は充電池や電池から供給する方式としても良いし、電源からコードを解して供給する方式でも良い。
【００２１】
図４は、図１に示した卓上保冷器１００の飲料容器収納部１と冷却部２の平面図である。図５は、図１に示した卓上保冷器１００の飲料容器収納部１と冷却部２の開閉蓋部１１を外した状態の平面図である。図６は、図４に示した卓上保冷器１００の飲料容器収納部１と冷却部２のＡ−Ａ断面図である。
【００２２】
図４に示すように、飲料容器収納部１の上面には、開閉蓋部１１が設けられている。開閉蓋部１１には、複数の穴が設けられており、差込口１２となっている。開閉蓋部１１は、薄くて丈夫なステンレス、アルミ、鉄板からなる。プラスチック樹脂製でも良い。また、断熱性の良い真空断熱パネル、発泡ウレタン又は発泡スチロールその他の断熱性の良い素材を用いても良い。開閉蓋部１１に設けられた差込口１２は、飲料ボトルＢを挿通できる大きさの丸い開口であり、この開口に飲料ボトルＢを差し入れれば、飲料ボトルＢを垂直に固定保持することができる。差込口１２は、丸い形状の開口のほか、四角形その他の形状でも良く。様々な大きさの開口を複数設けても良い。また、大きな瓶やジョッキを保持固定したい場合は、開閉蓋部１１を取り外したり、側面に収納したりして、飲料容器収納部１の上面全面を開放して使用しても良い。また、開閉蓋部１１には、差込口１２を設けるほか、開閉蓋部を、飲料容器が挿通できる大きさの目の荒い格子板で作成し、格子の中に飲料容器を挿通して飲料容器を固定する構造としても良い。
【００２３】
図５に示すように、飲料収納部１は、中空箱形状の外側容器１３の中に、外側容器１３より、ひとまわり小さく上面が開放された中空箱形状の内側容器１４が設けられている。内側容器１４は、外側容器１３よりも小さい箱であり、外側容器１３と内側容器１４との間隙には、スペースが生じるようになっている。外側容器１３と内側容器１４との間隙に生じたスペースは、飲料収納部１の真下に設けられている冷却部２から生じた冷気の通り道となり、冷気は、通風口１８を通って飲料収納部１の中に吹き込み循環する。冷気の通り道である外側容器１３と内側容器１４との間隙の通風口は、幅２ミリから５０ミリの間とするのが良く、最適な幅は１０ミリから２０ミリである。
【００２４】
内側容器１４の内部には、内側容器１４の側壁に沿うように、飲料保持具固定板１５が設けられている。飲料保持具固定板１５の上端にはフックが設けられており、該フックを内側容器１４の上端にひっかけて固定できるようになっている。飲料保持具固定板１５には、上面視、ループ形状にフックが設けられた飲料保持具１６が取り付けられている。飲料保持具１６は、フックによって、飲料保持具固定板１５及び内側容器１４の上端の所定位置に取り付けて固定することができる。本実施形態では、飲料保持具固定板１５は、内側容器１４の対向する２つの側面に取り付けられているが、飲料保持具固定板１５は、内側容器１４のどこか１つの側面にのみ取り付けても良いし、４つの側面すべてに取り付けても良い。
【００２５】
図６に示すように、飲料収納部１の底には、開口が設けられ、開口の真下には冷却部２に設けられた冷却器２５が露出し、冷気を飲料収納部１の内部に送り込んでいる。冷却部２は、コンプレッサー２４によって冷媒を圧縮しガス化して配管２６内を循環させ、冷媒を冷却器２５に送り込んで冷却する。冷却器２５から生じた冷気は、矢印の示すように、外側容器１３と内側容器１４の間隙を通って通風口１８から噴出し、内側容器１３の中に入り、内側容器１３の内部を冷気で満たして冷却し、内側容器１３の中の飲料容器保持具１６に保持された飲料容器を保冷する。
【００２６】
ここでは、コンプレッサー方式の冷却装置を用いているが、冷却方式は、これに限定されることはなく、直冷式及びファン式その他既存の冷却方式を採用することができる。また、本実施の形態では、飲料収納部１の下側に冷却部２を設けた構造となっているが、冷却部２は、飲料収納部１の下側ではなく側面に設けても良い。冷却部２を飲料収納部１の側面に設けた場合は、側面の上部に冷却器２５を設けると、生じた冷気は下方向に送られるので、飲料収納部１内を効率よく冷却することができる。
【００２７】
また、内側容器１４は、側面及び底面に複数の穴を設けたり、内側容器１４全体または側面や底面の一部を金網で作成してカゴ形状としても良い。内側容器１４に穴を設け、金網形状とすると、冷気は、通風口１８を通って上から飲料収納部１内に送り込まれるだけでなく、内側容器１４の底面や側面からも吹き込むので、冷気を効率よく飲料収納部１内に送り込むことができる。
【００２８】
図７は、図１に示した卓上保冷器１００の開閉蓋部１１を外側容器１３の内側に収納する手順を示す説明図である。図８は、図１に示した卓上保冷器１００の開閉蓋部１１を外側容器１３の内側に収納する手順を示す説明図である。図９は、図１に示した卓上保冷器１００の開閉蓋部１１を外側容器１３の内側に収納する手順を示す説明図である。
【００２９】
飲料容器収納部１の上面に設けられた開閉蓋部１１は、外側容器１４と内側容器１３の間隙に収納可能となっている。開閉蓋部１１に設けられた差込口１２に入らない直径のボトル等、サイズの大きな容器を保冷したい場合は、開閉蓋部１１を収納し、飲料容器収納部１の上面を開放した状態で使用すると良い。次に、図７から図９を用いて、開閉蓋部１１の収納方法について説明する。
【００３０】
図７に示すように、飲料容器収納部１の開閉蓋部１１は、飲料容器収納部１の外側容器１３の上端の一辺を軸として、回転可能に取り付けられており、開閉蓋部の開閉ができるようになっている。開閉蓋部１１を収納したいときは、まず最初に、開閉蓋部１１の上側に手をかけて上方向に開閉蓋部１１を開く。開閉蓋部１１を開いたら、図８に示すように、そのまま更に、開閉蓋部１１を床面に対し垂直な角度まで開いて、開閉蓋部１１が床面に対し垂直な角度になるまで開く。図９に示すように、開閉蓋部１１が、床面に対し垂直な角度になると、開閉蓋部１１を固定していたロックが外れて開閉蓋部１１は、下方向に動かせるようになる。
【００３１】
図９に示すように、床面に対し垂直な角度となった開閉蓋部１１を、下方向に押し下げると、開閉蓋部１１は、外側容器１３と内側容器１４との間の間隙に入っていく。そのまま開閉蓋部１１を押し下げると、開閉蓋部１１は、外側容器１３と内側容器１４との間隙に、すっぽりと収納される。開閉蓋部１１は、外側容器１３内に収納できるようにするほか、着脱可能として、自由に着脱できるようにしても良い。さらに、様々なサイズの差込口１２を設けた開閉蓋部１１を用意して、飲料容器のサイズにあわせて、最適な開閉蓋部１１を選択し、そのつど取り付けるようにしても良い。
【００３２】
次に、飲料容器収納部１の内側容器１４内に、飲料容器保持具固定板１５と飲料容器保持具１６を取り付ける手順について説明する。
【００３３】
図１０から図１２は、図１に示した卓上保冷器１００において、飲料容器保持具固定板１５を装着する手順を示す説明図である。図１３は、図１に示した卓上保冷器１００において、飲料容器保持具固定板１５に飲料容器保持具１６を装着する手順を示す説明図である。図１４は、（ａ）は、図１に示した卓上保冷器１００の飲料保持部の斜視図であって、（ｂ）は、飲料保持部に飲料容器を挿入した状態を示す斜視図である。図１５は、図１に示した卓上保冷器１００の飲料容器保持具固定板１５に飲料容器保持具１６を取り付けた状態を示す斜視図である。
【００３４】
図１０に示すように、飲料容器保持具固定板１５は、細枠の格子形状であって、その上端は、フック形状となっており、該フックを内側容器１４の上端に引っ掛け、固定できるようになっている。該フックは、内側容器１４の上端の幅及び飲料容器保持具固定板１５の上端の幅に引っ掛けられる大きさのフックである。飲料容器保持具固定板１５は、プラスチック樹脂、アルミ線、鋼鉄製その他、ある程度の硬度を持った素材で形成された格子である。飲料容器保持具固定板１５の格子は、飲料保持具１６を引っ掛けられるよう、目の荒い格子となっている。飲料容器保持具固定板１５は、冷気が循環しやすいような構造で、かつ、飲料保持具１６が引っ掛けられる構造であれば良く、格子形状のほか、目の荒い金網や、目の細かい網でも良い。平板状物に、穴を複数設けたものを用いても良い。
【００３５】
図１１に示すように、飲料容器保持具固定板１５を、床面に対し垂直な角度になるように手で保持したうえ、ゆっくりと下方向に動かし、内側容器１４の中に差し入れる。飲料容器保持具固定板１５の横幅は、内側容器１４の横幅より小さくなっているので、楽に、内側容器１４の内部に差し入れることができる。
【００３６】
それから、図１２に示すように、飲料容器保持具固定板１５の上側にあるフックを、内側容器１４の上端に引っ掛けて、飲料容器保持具固定板１５を内側容器１４内にぶら下げて固定する。
【００３７】
次に、図１３に示すように、飲料容器保持具１６を、内側容器１４内に入れ、飲料容器保持具１６の上端に設けられたフックを、内側容器１４の上端に引っ掛けて飲料容器保持具１６を内側容器１４内の飲料容器保持具固定板１５に重ねて固定する。飲料容器保持具１６に設けられたフックは、内側容器１４の上端に引っ掛けてぶら下げることもできるし、飲料容器保持具固定板１５の横方向の格子の所定位置に引っ掛けてぶら下げて固定しても良い。飲料容器保持具固定板１５の格子に引っ掛けると、飲料容器保持具１６は、下のほうに固定することができるので、背の高いビン等を飲料容器保持具１６に載せて冷却したい場合に便利である。
【００３８】
飲料容器保持具１６は、内側容器１４の上端に直接フックを引っ掛けて固定する構造として、飲料容器保持具固定板１５を省略する構成としても良い。また、飲料容器保持具固定板１５は、プラスチック樹脂製の板等、平たい形状の板で形成し、飲料容器保持具１６にフックの代わりに吸盤を設けて、吸盤で飲料容器保持具固定板１５に固定する構造としても良い。
【００３９】
飲料容器保持具１６は、図１４（ａ）に示すように、飲料容器が入る大きさの輪状物と、飲料容器保持具固定板１５に引っ掛けて固定するためのフックを主に有している。輪状物は、一定の間隔をあけて垂直方向に複数設けて、背の高いボトルを保持できるようにすると良い。飲料容器保持具１６は、様々なサイズの飲料容器を固定できるよう、様々なサイズの輪のものを、複数種類作成すると良い。また、ループ形状ではなく四角い枠体とフックで作成しても良いし、凹状の受け皿とフックで作成しても良い。また、コップ形状の容器にフックを取り付けた構造のものを飲料容器保持具１６として使用しても良い。
【００４０】
図１４（ｂ）に示すように、飲料容器保持具１６は、ループの内側に飲料の入った容器を差し入れ、飲料容器を固定する。飲料容器が出し入れしやすいよう、飲料容器保持具１６の輪の大きさは、飲料容器の直径より２ミリ以上大きなものとすると良い。また、背の高いビンを固定したいときは、飲料容器保持具１６も背の高いものを用いると良い。背の高いビンを、背の低い飲料容器保持具１６で固定するとバランスが悪く倒れやすいので注意が必要である。固定したい飲料容器の大きさにあわせて、最適なサイズの飲料容器保持具１６を選択して使用できるよう、飲料容器保持具１６は、いろいろなサイズのものを用意しておくと良い。
【００４１】
図１５に示すように、飲料容器保持具１６のフックを内側容器１４の上端に引っ掛けて固定すると、飲料容器保持具１６は、内側容器１４の中に、すっぽりと収まる。飲料容器保持具１６のフックは、細いもの又は厚みの薄い形状としたほうが開閉蓋部１１を開閉する際に、邪魔にならない。また、飲料容器保持具１６は、飲料容器に冷気があたりやすいように、なるべく細いループとすると良い。
【００４２】
飲料容器保持具１６について、コップ形状や皿形状にフックを設けた構造とする場合は、コップや皿の表面に複数の穴を設けたり、素材を、工夫したりして、飲料容器に冷気があたりやすいようにすると良い。
【００４３】
次に、図１６から図２０を用いて、卓上保冷器１００の使用方法を説明する。
【００４４】
図１６に示すように、内側容器１４の中に、飲料容器保持具固定板１５と飲料容器保持具１６を固定できたら、内側容器１４と外側容器１３の間隙に収納されている開閉蓋部１１の上部分を持って、そっと上に引き出す。開閉蓋部１１が全て露出するまで引っ張り挙げたら、図１７に示す矢印の方向に、開閉蓋部１１を倒す。開閉蓋部１１は、飲料容器収納部１の上面と同じか、すこし大きめのサイズなので、開閉蓋部１１を倒すと、飲料容器収納部１の上面をすっぽりと覆うことができる。開閉蓋部１１は、飲料容器収納部１の上面で固定できるように、ロックを設けても良い。
【００４５】
次に、図１８に示すように、開閉蓋部１１に設けられた差込口１２に、飲料缶Ｋや飲料ボトルＢを差し入れる。差込口１２の真下には、飲料容器保持具固定板１５に固定された飲料容器保持具１６があるため、差し込まれた飲料缶Ｋや飲料ボトルＢは、飲料容器保持具１６に差し込まれ、飲料容器保持具１６によって固定される。
【００４６】
図１９に示すように、開閉蓋部１１の差込口１２に飲料缶Ｋや飲料ボトルＢを差し入れて固定すると、飲料缶Ｋや飲料ボトルＢの先端が突出した状態となるので、食事をしながら飲料缶Ｋや飲料ボトルＢを手にとって取り出しやすい。飲み終わったら、また元の場所に飲料缶Ｋや飲料ボトルＢを挿しておけば良いので手軽に出し入れできる。テーブルの上に、常温で放置しなくて良いので、食事が終わるまで、冷たい飲料を美味しく楽しむことができる。また、テーブル上に飲料缶Ｋや飲料ボトルＢを放置しておくと、手や肘があたって飲料缶Ｋや飲料ボトルＢを倒して、中身がこぼれてしまうことがあるが、このように、卓上保冷器１００に飲料缶Ｋや飲料ボトルＢを固定しておくと、誤って倒してこぼしてしまうことがないので、安心して食事を楽しむことができる。
【００４７】
図２０は、図１に示した卓上保冷器１００をテーブル横に載置して使用する状態を示す斜視図である。卓上保冷器１００は、コンパクトなので、テーブルの上に置いても良いし、図２０に示すように、テーブル脇に踏み台を置いて、その上に設置しても良い。テーブル脇に置くと、テーブルの上を広く使えること、また、飲料容器の高さが、テーブルと略同じ高さになるので、飲料容器を出し入れしやすいというメリットがある。また、注文した飲料を客に提供する際に、ワゴンに卓上保冷器１００を載せて、卓上保冷器１００に飲料も載せた状態でサーブし、そのまま客のテーブルにワゴンごと横付けして食事に供することにしても良い。
【００４８】
（実施の形態２）
次に、本発明の実施の形態２である卓上保冷器２００について説明する。
【００４９】
図２１は、この発明の実施の形態２であるテーブルＴの中央に作り付けられた卓上保冷器２００を示す参考図である。図２２は、図２１にかかるテーブルＴの中央に造りつけられた卓上保冷器２００の断面図である。
【００５０】
図２１に示すように、卓上保冷器２００は、テーブルＴの中央をくりぬき、その中に埋め込まれている。卓上保冷器２００は、飲料容器収納部３と冷却部４を主に有し、飲料容器収納部３は、テーブルの天板の中央をくりぬいて埋め込まれており、冷却部４は、テーブルの下に設けられている。テーブルＴの中央に設けられた卓上保冷器２００は、飲料容器収納部３の上端がテーブルＴと同じ高さになるように、テーブルに埋め込まれている。飲料容器収納部３は、ステンレス製、アルミ製または鉄製その他の素材であって、内部には、仕切り板３１が設けられ、仕切り板３１によって、飲料缶や飲料ボトルが差し入れられる大きさの区画に仕切られている。飲料容器収納部３は、断熱性があって丈夫な素材をもちいることが望ましい。
【００５１】
仕切り板３１は飲料容器の大きさにあわせて区画を形成するように設けられている。仕切り板３１は、着脱可能として、飲料容器の大きさにあわせて、自由な位置に取り付けられるようにしても良い。また、前後左右にスライドできるようにして、所定位置でロック可能として、位置を調節できるようにしても良い。仕切り板３１は、ステンレス製、アルミ製、鉄製のほか、プラスチック樹脂等の素材でも良い。また、目の荒い格子板を上面を覆うように設置して、格子の目の部分に飲料容器を挿入して、飲料容器を保持固定するようにしても良い。
【００５２】
飲料容器収納部３の上側には、スライド扉３３が設けられており、スライドして開閉できるようになっている。飲料保冷器２００を使用しないときは、スライド扉３３を閉めておく。スライド扉３３を閉めることにより、飲料容器収納部３の内部にゴミや埃が入ることを防ぎ、また、テーブルＴの天板とスライド扉の高さは同じになので、テーブルＴを広く使うことができる。スライド扉３３は、スライドして開閉する構造のほか、着脱自由な扉としても良いし、ドア式として上に引っ張って開ける扉構造としても良い。
【００５３】
飲料収納部３の下側であって、テーブルの下には、冷却部４が設けられている。冷却部４には、コントロールボタン４２とスイッチボタン４３が設けられており、テーブルの下に手を差し入れて、これらボタンを操作し、冷却温度の調整や、電源のオンオフを行う。
【００５４】
本実施の形態では、卓上保冷器２００は、テーブル中央に埋め込まれ、作りつけられているが、卓上保冷器２００の位置はテーブル中央に限定されず、テーブルの端に作りつけても良い。
【００５５】
図２２に示すように、テーブル下に設けられた冷却部４の内部には、冷媒を循環させるための配管４６、冷媒を圧縮するコンプレッサー４４及び吸熱を行う冷却器４５が設けられている。コンプレッサー４４で圧縮され液化した冷媒は、配管４６を通って放熱され、冷却器４５で吸熱される。その際に発生した冷却空気は、冷却部４の上部から飲料容器収納部３の中に放出され、飲料容器収納部３内を冷却する。
【００５６】
本実施の形態において、冷却部４は、コンプレッサー式の冷却装置を内蔵しているが、冷却部４は、ファン式その他の既存の冷却方式を用いることができる。
【００５７】
本発明の卓上保冷器１００及び２００は、冷却部２、４の中に冷却装置であるコンプレッサーを内蔵する構成としたが、冷却部２、４を中空箱形とし、内部に何も設けない空洞にして、使用する際は、冷凍庫で凍らせた保冷剤を冷却部２及び４に投入し、その冷気によって、上の飲料容器収納部を冷却する構造としても良い。
【００５８】
また、本発明では、飲料容器を複数個収納できる構造としたが、飲料容器を１つだけ収納できるコンパクトな形状として、1人につき１つ、卓上保冷器を使用するようにしても良い。
【００５９】
また、本発明では、テーブルの上に置いて使用する卓上保冷器とテーブル中央に埋め込まれた構成の卓上保冷器を説明したが、卓上保冷器を、テーブルのそばの壁の中に埋め込んで壁に作りつける構成としても良い。
【００６０】
また、本発明では、飲料を保冷するための卓上保冷器としたが、保冷ではなく保温目的で使用できるよう、コンプレッサーの代わりに、ＩＨヒーターを内蔵し、飲料容器収納部を下から温めて、温かい飲料を、温かいまま保管できるような飲料保温器としても良い。
【符号の説明】
【００６１】
１００，２００  卓上保冷器
１  飲料容器収納部
１１  開閉蓋部
１２  差込口
１３  外側容器
１４  内側容器
１５  飲料容器保持具固定板
１６  飲料容器保持具
１７  収納部
１８  通風口
２  冷却部
２１  コントロールボタン
２２  スイッチボタン
２３  外材
２４  コンプレッサー
２５  冷却器
２６  配管
３  飲料容器収納部
３１  仕切り板
３２  内側底板
３３  スライド扉
３４  外側容器
４  冷却部
４１  外材
４２  コントロールボタン
４３  スイッチボタン
４４  コンプレッサー
４５  冷却器
４６  配管
Ｂ  飲料ボトル
Ｋ  飲料缶
Ｔ  テーブル
Ｃ  椅子
【図１】
2016148501.tif 000003
【図２】
2016148501.tif 000004
【図３】
2016148501.tif 000005
【図４】
2016148501.tif 000006
【図５】
2016148501.tif 000007
【図６】
2016148501.tif 000008
【図７】
2016148501.tif 000009
【図８】
2016148501.tif 000010
【図９】
2016148501.tif 000011
【図１０】
2016148501.tif 000012
【図１１】
2016148501.tif 000013
【図１２】
2016148501.tif 000014
【図１３】
2016148501.tif 000015
【図１４】
2016148501.tif 000016
【図１５】
2016148501.tif 000017
【図１６】
2016148501.tif 000018
【図１７】
2016148501.tif 000019
【図１８】
2016148501.tif 000020
【図１９】
2016148501.tif 000021
【図２０】
2016148501.tif 000022
【図２１】
2016148501.tif 000023
【図２２】
2016148501.tif 000024